(57)【要約】      （修正有）【課題】映像／音声の再生環境を制御し、利用者の楽しさや集中度を高める環境制御装置、及び、映像／音声再生装置を提供する。【解決手段】環境制御装置は、プロセッサと、映像／音声再生装置に接続され、且つ、プロセッサと電気的に接続されて映像／音声再生装置から伝送されたシチュエーション信号を受信するコネクタと、プロセッサと電気的に接続され、シチュエーション信号によって決定した環境制御信号を少なくとも１個の環境提供装置に出力するための無線通信モジュールと、を含む。ここで環境提供装置とは、照明灯、スピーカ、空調、蒸気発生装置、香り発生器又は扇風機等の人間感官面刺激を与える装置を指す。【選択図】図１
0003184429.tif 000002
【実用新案登録請求の範囲】
【請求項１】
映像／音声再生装置に電気的に接続でき、少なくとも1個の環境提供装置を制御するために用いられ、
プロセッサと、
前記映像／音声再生装置に接続するために用いられ、且つ、前記プロセッサと電気的に接続されて前記映像／音声再生装置から伝送されたシチュエーション信号を受信するコネクタと、
前記プロセッサと電気的に接続され、前記シチュエーション信号によって決定する環境制御信号を前記少なくと１個の環境提供装置に出力するために用いられる無線通信モジュールと、
を含むことを特徴とする環境制御装置。
【請求項２】
プログラム、或いは、少なくとも１個の制御パラメータを保存するメモリを更に含むことを特徴とする請求項１に記載の環境制御装置。
【請求項３】
前記少なくとも１個のパラメータは、ランプの輝度、ランプの色、ライトの点滅、ランプのオンオフ、カーテンの開閉、スピーカの音の大きさ、空調温度制御、或いは、空調風力制御であることを特徴とする請求項２に記載の環境制御装置。
【請求項４】
前記映像／音声再生装置が再生する映像／音声／光の出力を受信するためのドングルを更に含むことを特徴とする請求項２に記載の環境制御装置。
【請求項５】
前記無線通信モジュールは、更にリモコン装置から伝送された遠隔制御信号を受信することに用いられることを特徴とする請求項２に記載の環境制御装置。
【請求項６】
前記プログラムは、前記シチュエーション信号、或いは、映像／音声の出力を分析することで前記環境制御信号を決定するために用いられることを特徴とする請求項２乃至４、または、請求項５のいずれか一項に記載の環境制御装置。
【請求項７】
少なくとも1個の環境提供装置を制御するために用いられ、映像／音声信号受信モジュールと映像／音声／光信号出力モジュールとシチュエーション信号を生成するための映像／音声制御手段とを含み、前記映像／音声／光信号出力モジュール、及び、前記映像／音声信号受信モジュールは前記映像／音声制御手段と電気的に接続される映像／音声再生装置であって、プロセッサと、前記プロセッサと電気的に接続され、前記シチュエーション信号によって決定する環境制御信号を前記少なくと１個の環境提供装置に出力するために用いられる無線通信モジュールとを備えた環境制御装置を更に含むことを特徴とする映像／音声再生装置。
【請求項８】
プログラム、或いは、少なくとも１個の制御パラメータを保存するメモリを更に含むことを特徴とする請求項７に記載の映像／音声再生装置。
【請求項９】
前記少なくとも１個のパラメータは、ランプの輝度、ランプの色、ライトの点滅、ランプのオンオフ、カーテンの開閉、スピーカの音の大きさ、空調温度制御、或いは、空調風力制御であることを特徴とする請求項８に記載の映像／音声再生装置。
【請求項１０】
環境制御装置は、前記映像／音声／光信号出力モジュールが再生する映像／音声／光の出力を受信するためのドングルを更に含むことを特徴とする請求項８に記載の映像／音声再生装置。
【請求項１１】
前記無線通信モジュールは、更にリモコン装置から伝送された遠隔制御信号を受信することに用いられることを特徴とする請求項８に記載の映像／音声再生装置。
【請求項１２】
前記プログラムは、前記シチュエーション信号、或いは、映像／音声の出力を分析することで前記環境制御信号を決定するために用いられることを特徴とする請求項８乃至１０、または、請求項１１のいずれか一項に記載の映像／音声再生装置。
【考案の詳細な説明】
【技術分野】
【０００１】
本考案は、環境制御装置及び映像／音声再生装置に関する。
【背景技術】
【０００２】
通常利用者は、映像／音声再生装置（例えばテレビジョン、コンピュータ、プロジェクター、ディスプレイ、或いは音響等）の使用において、映像／音声再生装置が環境提供装置（例えば照明灯、スピーカ（ｓｐｅａｋｅｒ）、空調等）とインタラクションを発生させないように使用する。例えば利用者がテレビジョン或いはプロジェクターで映画の鑑賞又はプレゼンテーションを行う際、環境光が強すぎる場合、利用者は自身で電灯をオフ、若しくは手動で屋内のカーテンを閉めることで環境光の輝度を低下させる。又は屋内の温度が高すぎる或いは低すぎると、利用者の映画への鑑賞或いはプレゼンテーションに集中させることができず、利用者の楽しさ、若しくは集中度を減らしてしまう。
【０００３】
よって、映像／音声再生装置のその場の再生場面によって環境提供装置の状態（例えば環境照明のオフ或いは空調温度調節の制御）を制御し、利用者に操作が簡単、若しくはより一層の感官効果を生ませる環境制御装置及び映像／音声再生装置を提供する必要があった。
【考案の概要】
【考案が解決しようとする課題】
【０００４】
そこで、本考案は環境制御装置を提供することを目的とする。
【０００５】
本考案は、環境制御装置を内蔵する映像／音声再生装置を提供することを別の目的とする。
【課題を解決するための手段】
【０００６】
上記目的を達成するため、本考案の環境制御装置は、映像／音声再生装置に電気的に接続でき、少なくとも1個の環境提供装置を制御するために用いる。本考案の環境制御装置は、プロセッサと、映像／音声再生装置に接続するために用いられ、且つプロセッサと電気的に接続されて映像／音声再生装置から伝送されたシチュエーション信号を受信するコネクタと、プロセッサと電気的に接続され、シチュエーション信号によって決定する環境制御信号を環境提供装置に出力するために用いられる無線通信モジュールと、を含む。
【０００７】
本考案の一実施例によれば、環境制御装置はプログラム或いは少なくとも１個の制御パラメータを保存するメモリを更に含む。
【０００８】
本考案の一実施例によれば、環境制御装置は映像／音声再生装置が再生した映像／音声／光の出力を受信するためのドングルを更に含む。
【０００９】
本考案の一実施例によれば、プログラムはシチュエーション信号或いは映像／音声の出力を分析することで、環境制御信号を決定するために用いられる。
【００１０】
本考案は、上記環境制御装置を内蔵した別の映像／音声再生装置を別途提供する。
【図面の簡単な説明】
【００１１】
【図１】本考案に係る環境制御装置の使用環境イメージ図である。
【図２】本考案に係る一の実施例の環境制御装置のハードウェア構成図である。
【図３】本考案に係る映像／音声再生装置のハードウェア構成図である。
【図４】本考案に係る別の実施例の環境制御装置の使用環境イメージ図である。
【考案を実施するための形態】
【００１２】
以下、本考案の技術的内容を審査官に更に理解してもらうため、好ましい実施例を添付図面に基づいて説明する。
【００１３】
次に、本考案に係る一実施例の環境制御装置を図１乃至図３を参照しながら説明する。図１は、本考案に係る環境制御装置の使用環境イメージ図である。図２は、本考案に係る一の実施例の環境制御装置のハードウェア構成図である。図３は、本考案に係る映像／音声再生装置のハードウェア構成図である。
【００１４】
図１に示すように、環境制御装置１は、映像／音声再生装置２に電気的に接続でき、また少なくとも１個の環境提供装置４を制御するために用いる。環境制御装置１は、ドングル（ｄｏｎｇｌｅ）として作製できる。映像／音声再生装置２は、テレビジョン、コンピュータ、プロジェクター、ディスプレイ或いは音響等の映像と／或いは音声を再生できる装置等とすることができる。本明細書において、映像／音声再生装置２は映像を再生、若しくは音声のみを再生、或いは同時に映像及び音声を再生できる装置を指す。環境提供装置４は、照明灯、スピーカ（ｓｐｅａｋｅｒ）、空調、蒸気発生装置、香り発生器又は扇風機等の人間感官面刺激を与える環境装置とすることができる。同時に、図１に示すように、環境制御装置１及び環境提供装置４でもリモコン装置３から伝送された遠隔制御信号３ａを受信でき、またこのリモコン装置３はリモコン、携帯電話又はタブレット型コンピュータ等のモバイルデバイスとすることができる。
【００１５】
図１と図２を参照しながら説明する。本実施例の環境制御装置１にはプロセッサ１０とコネクタ２０と無線通信モジュール３０とメモリ４０とドングル５０とを含む。本考案の環境制御装置１がコネクタ２０（例えばＵＳＢコネクタで、ドングル（ｄｏｎｇｌｅ）として作製する）を通じて映像／音声再生装置２と接続することで、映像／音声再生装置２から伝送されたシチュエーション信号２ａ或いは映像／音声／光の出力２ｂを受信する。シチュエーション信号２ａとは、映像／音声再生装置２から伝送された電子信号の指令を指し、例えばプロジェクタースポットライトのターンオン（ｔｕｒｎ  ｏｎ）信号、テレビジョンから発信したターンオン（ｔｕｒｎ  ｏｎ）或いは怖い場面の信号（例えばテレビジョン信号に現在再生している怖い場面のコードを帯びさせることで、テレビジョンの信号の怖い場面の信号を発信させることができる）である。映像／音声／光の出力２ｂは、映像／音声再生装置２が映像、音声又は光を発し、環境制御装置１のドングル５０に映像／音声／光の出力２ｂを受信させることができる。
【００１６】
本考案のコネクタ２０に適用する転送インターフェースは、ユニバーサルシリアルバス（Ｕｎｉｖｅｒｓａｌ  Ｓｅｒｉａｌ  Ｂｕｓ、ＵＳＢ）、汎用入出力ポート（Ｇｅｎｅｒａｌ  Ｐｕｒｐｏｓｅ  Ｉ／Ｏ  Ｐｏｒｔ）、ジョイントテストアクショングループポート（Ｊｏｉｎｔ  Ｔｅｓｔ  Ａｃｔｉｏｎ  Ｇｒｏｕｐ  Ｐｏｒｔ、ＪＴＡＧ  Ｐｏｒｔ）、ＬＰＴポート（ＬＰＴ  Ｐｏｒｔ）、ＣＯＭポート（ＣＯＭ  Ｐｏｒｔ）のうちのいずれかとすることができる。
【００１７】
無線通信モジュール３０は無線ＬＡＮ、ブルートゥース（Ｂｌｕｅｔｏｏｔｈ）（登録商標）、赤外線、ＬＴＥ（Ｌｏｎｇ  Ｔｅｒｍ  Ｅｖｏｌｕｔｉｏｎ）、ＲＦモジュール、第３世代の無線移動体通信技術（３Ｇ）、或いは第４世代の無線移動体通信技術（４Ｇ）のうちのいずれかとすることができる。その他、パラメータ４３は、ランプの輝度、ランプの色、ライトの点滅、ランプのオンオフ、スピーカの音の大きさ、空調温度制御或いは空調風力制御である。基本的に、環境制御装置１、リモコン装置３及び環境提供装置４の信号伝送は、無線伝送方式を採用するため、リモコン装置３及び環境提供装置４は、無線伝送モジュールが必要である。
【００１８】
環境制御装置１は、シチュエーション信号２ａによって環境制御信号１ａを少なくとも１個の環境提供装置４に出力するよう決定できる。メモリ４０は、例えばランプの輝度、ランプの色、ライトの点滅、ランプのオンオフ、スピーカの音の大きさ、空調温度制御或いは空調風力制御等といった若干の制御パラメータを保存でき、環境制御装置１がシチュエーション信号２ａによって適切な環境制御信号１ａを選択させることができる。
【００１９】
また、環境制御装置１にドングル５０を組み込んでいる場合、映像／音声／光の出力２ｂを受信でき、映像／音声／光の出力２ｂによって環境制御信号１ａを少なくとも１個の環境提供装置４に出力するよう決定できる。メモリ４０内にプログラム４１も保存でき、プロセッサ１０はメモリ４０が保存したプログラム４１を実行して複雑な映像／音声／光の出力２ｂを分析して、環境制御信号１ａを決定し、更にプロセッサ１０と電気的に接続する無線通信モジュール３０を通じて環境制御信号１ａを少なくとも１個の環境提供装置４に出力することで、少なくとも１個の環境提供装置４を制御できる。プログラム４１が映像／音声／光の出力２ｂを分析した後、メモリ４０に保存した少なくとも１個の制御パラメータ４３によって環境制御信号１ａを決定でき、且つ、環境制御装置１の無線通信モジュール３０でもリモコン装置３から伝送された遠隔制御信号３ａを直接受信できる。遠隔制御信号３ａは、例えばパラメータの設定を変更、若しくは環境制御装置１から環境制御信号１ａを強制発信できる。この外に、プログラム４１はソフトウェア或いはファームウェアとすることができる。
【００２０】
図３に示すように、映像／音声再生装置２は、映像／音声信号受信モジュール６０と映像／音声／光信号出力モジュール７０と映像／音声制御手段８０とを含む。映像／音声／光信号出力モジュール７０及び映像／音声信号受信モジュール６０は映像／音声制御手段８０と電気的に接続される。映像／音声制御手段８０がシチュエーション信号２ａを生成して環境制御装置１のコネクタ２０に与え、また環境制御装置１のドングル５０が映像／音声／光信号の出力モジュール７０で再生した映像／音声／光の出力２ｂを受信できる。映像／音声再生装置２の映像／音声／光信号出力モジュール７０がディスプレイスクリーン、プロジェクター或いは拡声器等の映像／音声／光の信号を発することができる装置とすることができる。映像／音声信号受信モジュール６０は、例えばディスプレイスクリーン、プロジェクター、或いは拡声器に内蔵した映像／音声信号を受信する受信モジュールとすることができる。
【００２１】
例を挙げると、映像／音声再生装置２はテレビジョンで、環境提供装置４が照明灯の場合、且つ環境制御装置１がコネクタ２０を通じて映像／音声再生装置２（テレビジョン）と電気的に接続され、映像／音声再生装置２がシチュエーション信号２ａ或いは映像／音声／光の出力２ｂをコネクタ２０により環境制御装置１に伝送する。
【００２２】
例えば、映像／音声再生装置２（テレビジョン）が放送するのはホラー映画の場合、プログラム４１が映像／音声／光の出力２ｂのオーディオと映像を分析することで、映像／音声再生装置２が現在放送するのは緊張感・サスペンス内容を判定する。プログラム４１は、環境制御信号１ａが照明灯（環境提供装置４）を点滅させる制御指令を決定し、また照明灯（環境提供装置４）を点滅させる制御指令（環境制御信号１ａ）が無線通信モジュール３０を通じて環境提供装置４（本実施例が照明灯）に出力し、この場合環境提供装置４（本実施例が照明灯）は、指令に従って点滅して利用者の映画を観賞するサスペンスと面白さを高める。この外に、プログラム４１はまた制御パラメータ４３を通じて照明灯（環境提供装置４）の輝度、色、点滅或いはオンオフも決定できる。別の方法は例えばテレビジョンの信号域に緊張感・サスペンスのコードを帯び、テレビジョン信号が緊張感・サスペンスの信号（シチュエーション信号２ａ）を環境制御装置１に発し、環境制御装置１が更に環境制御信号１ａ（点滅の制御指令）を環境提供装置４（照明灯）に発信できる。
【００２３】
環境制御装置１は、同時に１個又は複数の環境提供装置４を制御でき、例えば映像／音声再生装置２が緊張感・サスペンス内容を再生している時、環境制御装置１が照明灯を点滅させる環境制御信号１ａを発する以外に、環境の温度が高すぎた場合、環境制御装置１も同時に空調温度を低下する環境制御信号１ａを発することで、利用者に映画を快適並び集中して鑑賞させることができる。また、環境制御装置１で１個或いは複数の環境提供装置４を制御する方法以外に、利用者はリモコン装置３で遠隔制御信号３ａを無線通信モジュール３０に伝送して環境制御装置１を制御、若しくは利用者がリモコン装置３を通じて遠隔制御信号３ａを環境提供装置４に直接伝送して、利用者が映像／音声再生装置２の映画を見る時の環境提供装置４の各種設定を変更することで、本考案の適用性を向上することができる。
【００２４】
本考案の別の応用として例えば映像／音声再生装置２がプロジェクターで、プロジェクタースポットライトをターンオン（ｔｕｒｎ  ｏｎ）した時、プロジェクターがシチュエーション信号２ａ（スポットライトをつける）を生成して環境制御装置１に与え、環境制御装置１がこれにより環境制御信号１ａ（ライトをオフにする信号）を環境提供装置４（照明灯）に発信して、照明灯がこれによりライトをオフになる。
【００２５】
本考案に係る別の実施例の環境制御装置の使用環境イメージを示す図４を参照しながら説明する。
【００２６】
図４に示すように、本考案の映像／音声再生装置２ｄと前の実施例の映像／音声再生装置２の相違点は、環境制御装置１が映像／音声再生装置２ｄ内に直接設けられ、映像／音声再生装置２ｄが少なくとも１個の環境提供装置４を直接制御させることができることである。この外に、図４のように、映像／音声再生装置２ｄ及び環境提供装置４もリモコン装置３から伝送された遠隔制御信号３ａを直接受信することで、本考案の適用性を向上することができる。本考案の映像／音声再生装置２ｄが環境制御装置１を通じて環境提供装置４の一部を制御することは、前の実施例と同じにあるため、詳細な説明を省略し、前の実施例の関連記述を参考にしてください。
【００２７】
以上の述べるものは実施例のみであって、本考案はそのような具体例にのみ限定して狭義に解釈されるべきものではなく、本考案の精神及び範囲から離れることなく種々の変更及び改変を為し得ることは、本考案の実用新案登録請求の範囲内に含めるものであるのが勿論である。
【符号の説明】
【００２８】
１        環境制御装置
１ａ      環境制御信号
１０      プロセッサ
２、２ｄ  映像／音声再生装置
２ａ      シチュエーション信号
２ｂ      映像／音声／光の出力
２０      コネクタ
３        リモコン装置
３ａ      遠隔制御信号
３０      無線通信モジュール
４        環境提供装置
４０      メモリ
４１      プログラム
４３      制御パラメータ
５０      ドングル
６０      映像／音声信号受信モジュール
７０      映像／音声／光信号出力モジュール
８０      映像／音声制御手段
【図１】
0003184429.tif 000003
【図２】
0003184429.tif 000004
【図３】
0003184429.tif 000005
【図４】
0003184429.tif 000006